(57)【要約】【課題】内層体を外層体から剥離し易くして、内容物の注出時に、内層体の剥離不良や外層体の変形が生じることを防止することできる二重容器を提案することである。【解決手段】筒状の注出口２ａと該注出口２ａに連なる胴部２ｂとを備え、注出口２ａの側部に該注出口２ａを内外方向に貫通する空気流入孔４が設けられた外層体２と、注出口２ａの開口端に連なる開口部３ａと該開口部３ａに連なる内容物の収容部３ｂとを備え、外層体２に収容される内層体３とを設け、外層体２の胴部２ｂに、注出口２ａの側から底部２ｃの側へ向けて延びる外層リブ７を設け、この外層リブ７の、内層体３の側を向く内面の横断面形状を、アンダーカット形状とし、内層体３に、外層リブ２の内面に対応した横断面形状の内層リブ９を設けるとともに外層リブと内層リブとの間に隙間を設ける。【選択図】図１
2014091538.tif 000002
【特許請求の範囲】
【請求項１】
筒状の注出口と該注出口に連なる胴部とを備え、前記注出口の側部に該注出口を内外方向に貫通する空気流入孔が設けられた外層体と、前記注出口の開口端に連なる開口部と該開口部に連なる内容物の収容部とを備え、前記外層体に収容される内層体と、を有する二重容器であって、
前記外層体の胴部に、前記注出口の側から底部の側へ向けて延びる外層リブを設け、
前記外層リブの、前記内層体の側を向く内面の横断面形状を、アンダーカット形状とし、
前記内層体に、前記外層リブの内面に対応した横断面形状の内層リブを設け、
前記外層リブと前記内層リブとの間に隙間を設けたことを特徴とする二重容器。
【請求項２】
前記外層リブを、一対の側壁部とこれらの側壁部を連ねる天壁部とを備えた断面コ字状の横断面形状に形成し、前記外層リブの前記内層体とは反対側を向く外面の横断面形状を、前記側壁部の外面に対応した互いに略平行な一対の直線部分と、前記天壁部の外面に対応して前記直線部分を連ねる連結辺部分とを有する形状とした、請求項１記載の二重容器。
【請求項３】
前記外層体の胴部に、前記外層リブに隣接して副外層リブを設け、前記副外層リブの、前記内層体とは反対側を向く外面の横断面形状を、前記外層リブの前記直線部分に連なるとともに該直線部分に対して傾斜する傾斜辺を備えた形状に形成した、請求項２記載の二重容器。
【請求項４】
前記外層リブの直線部分を、前記副外層リブの幅方向中心を通り、且つ、前記注出口の軸心を通る直線に略平行とした、請求項３記載の二重容器。
【請求項５】
前記外層リブの少なくとも一部を、前記空気流入孔の軸方向から見た平面視で、前記空気流入孔の軸心を中心として、前記底部の側へ向けた、６０度以上、９０度以下の範囲に配置した、請求項１〜４の何れか１項に記載の二重容器。
【発明の詳細な説明】
【技術分野】
【０００１】
本発明は、内容物を収容する内層体が、外層体の内部に収容された２層構造に形成され、内容物の注出時に、外層体と内層体との間に空気流入孔から外気が取り入れられて、内層体のみを収縮させるようにした二重容器に関する。
【背景技術】
【０００２】
化粧水などの化粧料や、シャンプーやリンスあるいは液体石鹸、また食品調味料などを収納する容器としては、内容物を収容する収容部を備えた内層体と、この内層体を剥離可能に収容する外層体とを備え、外層体の胴部を押圧することで内容物を注出する一方、押圧解除後は、外層体の注出口に設けた空気流入孔から、内層体と外層体との間に外気を導入して、内層体を減容したまま胴部が復元できるようにした二重容器が知られている（例えば特許文献１参照）。この種の容器は、内容物と外気との置換を行うことなく、注出を行うことができるので、内容物の外気との接触を減らして、その劣化や変質を抑制することができる。
【先行技術文献】
【特許文献】
【０００３】
【特許文献１】特開２００１−１０６２６３号公報
【発明の概要】
【発明が解決しようとする課題】
【０００４】
このような二重容器としては、デラミ容器とも呼ばれる積層剥離容器が知られており、この場合二重容器は、相溶性の低い外層用の合成樹脂と内層用の合成樹脂とを共押出して積層パリソンとし、この積層パリソンを、金型を用いてブロー成形することにより、外層体と内層体とが密着した積層構造に形成される。そのため、ブロー成形の後に、例えば、空気流入孔から空気を圧送し、または注出口から負圧吸引をして内層体を収縮させて、その全体を外層体から剥離させ、次いで、内層体の内部に空気を送り込み、その全体を再度外層体に密着させて、収容物の注出時に、内層体が外層体から剥離し易くなるようにしている。
【０００５】
しかしながら、従来の二重容器では、上記のように、ブロー成形後に、内層体を一旦外層体から全剥離するようにしても、内層体は、その外面全体が再度外層体の内面全体に密着するので、収容物の注出時に、空気流入孔から外層体と内層体の間へ空気が入り難くなって、内層体の剥離不良や外層体の変形を生じる場合があった。
【０００６】
本発明は、このような従来の問題点を解決することを課題とするものであり、その目的は、内層体を外層体から剥離し易くして、内容物の注出時に、内層体の剥離不良や外層体の変形が生じることを防止することできる二重容器を提案することにある。
【課題を解決するための手段】
【０００７】
本発明の二重容器は、筒状の注出口と該注出口に連なる胴部とを備え、前記注出口の側部に該注出口を内外方向に貫通する空気流入孔が設けられた外層体と、前記注出口の開口端に連なる開口部と該開口部に連なる内容物の収容部とを備え、前記外層体に収容される内層体と、を有する二重容器であって、前記外層体の胴部に、前記注出口の側から底部の側へ向けて延びる外層リブを設け、前記外層リブの、前記内層体の側を向く内面の横断面形状を、アンダーカット形状とし、前記内層体に、前記外層リブの内面に対応した横断面形状の内層リブを設け、前記外層リブと前記内層リブとの間に隙間を設けたことを特徴とする。
【０００８】
上記構成においては、前記外層リブを、一対の側壁部とこれらの側壁部を連ねる天壁部とを備えた断面コ字状の横断面形状に形成し、前記外層リブの前記内層体とは反対側を向く外面の横断面形状を、前記側壁部の外面に対応した互いに略平行な一対の直線部分と、前記天壁部の外面に対応して前記直線部分を連ねる連結辺部分とを有する形状とするのが好ましい。
【０００９】
上記構成においては、前記外層体の胴部に、前記外層リブに隣接して副外層リブを設け、前記副外層リブの、前記内層体とは反対側を向く外面の横断面形状を、前記外層リブの前記直線部分に連なるとともに該直線部分に対して傾斜する傾斜辺を備えた形状に形成するのが好ましい。
【００１０】
上記構成においては、前記外層リブの直線部分を、前記副外層リブの幅方向中心を通り、且つ、前記注出口の軸心を通る直線に略平行とするのが好ましい。
【００１１】
上記構成においては、前記外層リブの少なくとも一部を、前記空気流入孔の軸方向から見た平面視で、前記空気流入孔の軸心を中心として、前記底部の側へ向けた、６０度以上、９０度以下の範囲に配置するのが好ましい。
【発明の効果】
【００１２】
本発明によれば、外層体の胴部に外層リブを設け、この外層リブの内層体の側を向く内面の横断面形状をアンダーカット形状とし、内層体に当該内面のアンダーカット形状に対応した横断面形状の内層リブを設けるとともに前記外層リブと前記内層リブとの間に隙間を設けるようにしたので、内層体が外層体から剥離された後に、内層体の内層リブを外層体の外層リブに嵌まりづらくして、当該リブの周りの外層体と内層体との間に隙間を維持させることができる。したがって、この隙間により、内容物を注出する際に、空気流入孔から流入した外気を、当該隙間を介して外層体と内層体の間へ流入させることができるので、内層体を外層体から剥がれ易くして、この二重容器の内層体の剥離不良や外層体の変形を防止することができる。
【００１３】
上記構成において、外層リブを、一対の側壁部とこれらの側壁部を連ねる天壁部とを備えた断面コ字状の横断面形状に形成し、外層リブの内層体とは反対側を向く外面の横断面形状を、側壁部の外面に対応した互いに略平行な一対の直線部分と、天壁部の外面に対応して直線部分を連ねる連結辺部分とを有する形状とした場合には、この二重容器を、金型を用いて積層パリソンをブロー成形して形成する際に、金型内で積層パリソンを、外層リブの両側壁部と天壁部とを連ねる角部が薄肉となるように延伸させて、内面の横断面形状がアンダーカット形状となる外層リブと、当該内面に対応した横断面形状の内層リブとを、容易に形成することができる。
【００１４】
上記構成において、前記外層体の胴部に、前記外層リブに隣接して副外層リブを設け、前記副外層リブの、前記内層体とは反対側を向く外面の横断面形状を、前記外層リブの前記直線部分に連なるとともに該直線部分に対して傾斜する傾斜辺を備えた形状に形成した場合には、金型を用いて積層パリソンをブロー成形して形成する際に、積層パリソンを当該傾斜辺に沿って副外層リブの側に移動させることにより、積層パリソンを外層リブの両側壁部と天壁部とを連ねる角部に向けてより延伸させて、外層リブと内層リブの横断面形状を、より深いアンダーカット形状にすることができる。
【００１５】
上記構成において、前記外層リブの直線部分を、前記副外層リブの幅方向中心を通り、且つ、前記注出口の軸心を通る直線に略平行とした場合には、金型を用いて積層パリソンをブロー成形して形成する際に、金型内において積層パリソンを、外層リブの両側壁部と天壁部とを連ねる角部に向けてより延伸させて、外層リブと内層リブの横断面形状を、より深いアンダーカット形状にすることができる。
【００１６】
上記構成において、外層リブの少なくも一部を、空気流入孔の軸方向から見た平面視で、空気流入孔の軸心を中心として、底部の側へ向けた、６０度以上、９０度以下の範囲に配置した場合には、内層体を外層体から剥離させ、再度密着させたときに、空気流入孔の周りに生じるしわ状の隙間を、外層リブと内層リブとの間に生じる隙間に連通させて、空気流入孔と胴部との間で、より空気の流路を確保し易くすることができる。
【図面の簡単な説明】
【００１７】
【図１】本発明の二重容器の一実施の形態である積層剥離容器の正面図である。
【図２】図１に示す積層剥離容器の平面図である。
【図３】図１におけるＡ−Ａ線に沿う断面図である。
【図４】図１におけるＢ−Ｂ線に沿う断面図であり、左半分はブロー成形時の状態を示す断面図であり、右半分は剥離後の状態を示す断面図である。
【発明を実施するための形態】
【００１８】
以下、本発明の実施の形態を図面に基づいて詳細に例示説明する。
【００１９】
図１〜図３に示すように、本発明の二重容器の一実施の形態である積層剥離容器１は、外殻を構成する外層体２と、外層体２の内部に収容される内層体３とを有している。デラミ容器とも呼ばれるこの積層剥離容器１は、例えば、相溶性の低い外層用の合成樹脂と、内層用の合成樹脂とを共押出して積層パリソンを形成し、この積層パリソンを、金型を用いてブロー成形することにより、外層体２の内面に内層体３が剥離可能に密着した積層構造に形成される。
【００２０】
外層体２は、断面円形の筒状に形成された注出口２ａと、この注出口２ａに一体に連なる断面円形の胴部２ｂとを有するボトル状に形成されている。胴部２ｂは可撓性を有しており、スクイズされて凹むことができるとともに、凹んだ状態から元の形状に復元することができる。
【００２１】
内層体３は、外層体２よりも薄肉の袋状に形成されており、その外面は外層体２の内面に剥離可能に密着している。内層体３の開口部３ａは、外層体２の注出口２ａの開口端に連ねられ、内層体３の内部は、開口部３ａに連なる収容部３ｂとなっている。この収容部３ｂには、例えば、化粧水などの化粧料、シャンプーやリンスあるいは液体石鹸、また食品調味料などの液体状の内容物が収納される。
【００２２】
外層体２の注出口２ａの側部（外周部）には、それぞれ注出口２ａを径方向に沿って内外に貫通する一対の空気流入孔４が設けられている。これらの空気流入孔４は、互いに注出口２ａの軸心を挟んだ対称な位置に配置されている。空気流入孔４は、外層体２と内層体３の間に連通しており、内層体３が外層体２から剥離したときに、外層体２と内層体３との間に外気を導入することができる。
【００２３】
外層体２の注出口２ａには、例えば、注出用弁が配設された注出キャップ、各種ノズルまたは注出ポンプ等の部材が装着され、これらの部材を介して、内容物が注出される。これらの部材は、注出口２ａに設けられたねじ部２ｄにねじ結合して当該注出口２ａに固定されるが、アンダーカット等の他の手段により固定される構成とすることもできる。
【００２４】
このような積層剥離容器１は、注出口２ａに注出用弁が配設された注出キャップを装着した場合には、外層体２の胴部２ｂをスクイズすることによって、注出口２ａから内容物を注出することができる。内容物の注出後、外層体２が元の形状に復元する際には、空気流入孔４から外層体２と内層体３との間に外気が流入するので、内層体３の収容部３ｂを減容させたまま、外層体２を元の形状に復元させることができる。したがって、内容物を注出しても、注出口２ａから内層体３の収容部３ｂの内部へ外気が流入することがないので、収容部３ｂに収容された内容物は空気に触れることなく、その劣化が防止される。また、外層体２を傾けることにより、内層体３の収容部３ｂに収容した内容物を自重で注出口２ａから注出することもできる。なお、注出口２ａにポンプを装着した場合には、外層体２として可撓性を有していないものを用いることができる。
【００２５】
図１、図２に示すように、外層体２の胴部２ｂには、内容物を注出する際に、内層体３を外層体２から剥がれ易くするために、一対のリブ群５が設けられている。一方のリブ群５は、胴部２ｂの対応する空気流入孔４の下方に配置され、他方のリブ群５は、胴部２ｂの対応する空気流入孔４の下方に配置されているが、これらのリブ群５は、互いに基本的に同一の構成となっているので、以下では、一方のリブ群５についてのみ説明する。
【００２６】
リブ群５は、それぞれ外層体２の、注出口２ａの側から底部２ｃの側へ向けて延びるとともに、周方向に並べて配置された４本の凹溝６ａ〜６ｄを備えている。これらの凹溝６ａ〜６ｄは、それぞれ外層体２の外周面に対して内側に凹んで形成された凹リブとなっている。
【００２７】
最外側の凹溝６ａ，６ｄと、それに隣接する内側の凹溝６ｂ，６ｃの間の部分は、それぞれ外層リブ７となっており、内側の一対の凹溝６ｂ，６ｃの間の部分は副外層リブ８となっている。一対の外層リブ７および副外層リブ８は、それぞれ凹溝６ａ，６ｄと同様に、注出口２ａの側から底部２ｃの側へ向けて延びており、互いに凹溝６ｂ，６ｃを挟んで隣接している。また、副外層リブ８の両側に隣接する外層リブ７は、互いに、副外層リブ８を挟んで対称な形状となっている。
【００２８】
図４は、図１におけるＢ−Ｂ線に沿う断面図であり、その左半分はブロー成形時の状態を示し、右半分は内層体を外層体から剥離した後の状態を示している。図４においては、ブロー成形時のリブ群５および剥離後のリブ群５は、それぞれ、直線Ｌにより区切られた半分のみが示され、直線Ｌを基準として対称な形状を有する残りの部分は省略してある。
【００２９】
図４に示すように、外層体２に形成された外層リブ７は、一対の側壁部７ａ，７ｂとこれらの側壁部７ａ，７ｂを連ねる天壁部７ｃとを備え、その長手方向に対して垂直な横断面形状は略コ字状となっている。外層リブ７の内層体３とは反対側を向く外面つまり容器外側を向く外面は、その側壁部７ａ，７ｂにおいては平面に形成され、天壁部７ｃにおいては胴部２ｂの外周面に対応した湾曲面に形成されている。したがって、外層リブ７の外面の横断面形状は、側壁部７ａ，７ｂの外面に対応した互いに平行な一対の直線部分７ｄ，７ｅと、天壁部７ｃの外面に対応して直線部分を連ねる円弧状の連結辺部分７ｆと、を有している。直線部分７ｄ，７ｅは、当該横断面における、連結辺部分７ｆの周方向の中点を通り、且つ、連結辺部分７ｆに垂直な方向に対して、それぞれ副外層リブ８の側へ向けて傾斜しており、図示する場合では、副外層リブ８の幅方向の中心を通るとともに注出口２ａの軸心を通る直線Ｌに平行となっている。なお、本実施の形態においては、直線部分７ｄ，７ｅは互いに平行とされているが、金型を用いたブロー成型後、積層剥離容器１を金型から取り外す際に、外層リブ７が金型に対して極端に無理抜きされない程度であれば、直線部分７ｄ，７ｅを互いに角度を有する略平行の配置とするようにしてもよい。
【００３０】
副外層リブ８の、内層体３とは反対側を向く外面は、その横断面形状が、外層リブ７の直線部分７ｅに連なるとともに、径方向に対して、直線部分７ｅよりもさらに大きく傾斜する一対の傾斜辺８ａと、これらの傾斜辺８ａを連ねる円弧辺８ｂとを備えた形状となっている。円弧辺８ｂは、外層体２の外周面に沿った円弧状である。これにより、副外層リブ８は、その横断面形状が、台形状に形成されている。なお、外層リブ７の直線部分７ｅと副外層リブ８の傾斜辺８ａにより、略三角形の横断面形状となる凹溝６ｂ，６ｃの内面が構成される。
【００３１】
一方、図４に示すように、外層リブ７の、内層体３の側を向く内面の横断面形状の角部は、アンダーカット形状とされている。図示する場合では、外層リブ７は、その天壁部７ｃの内面の周方向への幅寸法が、一方の側壁部７ａの内面と他方の側壁部７ｂの内面との、最も間隔が狭い部分の周方向幅寸法よりも大きくなったアンダーカット形状とされている。
【００３２】
外層リブ７に対応して、内層体３には２本の内層リブ９が設けられている。これらの内層リブ９は、外層リブ７の内面の横断面形状に対応した横断面形状を有しており、ブロー成形後においては、図４の左半分に示すように、その外面は、外層リブ７の内面に密着している。つまり、内層リブ９は、外層リブ７の内面のアンダーカット形状に対応して、その径方向外側となる先端部に向けて徐々に幅が広くなる形状に形成されている。
【００３３】
外層体２に、内面がアンダーカット形状となる外層リブ７を設け、内層体３に、外層リブ７のアンダーカット形状に対応した形状の内層リブ９を設けたことにより、図４の右半分に示すように、一旦、内層体３が外層体２から剥離されると、内層体３の内層リブ９が、外層体２の外層リブ７に再度嵌まり込むことが困難となり、外層リブ７と内層リブ９との周りに隙間が維持される。例えば、この積層剥離容器１のブロー成形の後に、負圧吸引により内層体３を収縮させて、その全体を外層体２から剥離させ、次いで、内層体３の内部に空気を送り込むと、外層リブ７と内層リブ９との間に隙間を維持しつつ、内層体３の他の部分を外層体２の内面に密着させることができる。したがって、内層体３に内容物を収容後、この内容物を注出口２ａから注出する際には、外層リブ７と内層リブ９との周りの隙間が空気の流路となって、空気流入孔４から流入した外気は、胴部２ｂの底部２ｃの側における外層体２と内層体３の間にまで、容易に流入することができる。これにより、内層体３を外層体２から剥がれ易くして、積層剥離容器１の内層体３の剥離不良や外層体２の変形を防止することができる。
【００３４】
上記のように、外層体２に設ける外層リブ７の外面の横断面形状を、一対の平行な直線部分７ｄ，７ｅと連結辺部分７ｆとを有する形状としたことにより、積層剥離容器１を、金型を用いてブロー成形する際に、その内面を容易にアンダーカット形状とすることができる。つまり、外層リブ７の外面の横断面形状を、一対の平行な直線部分７ｄ，７ｅと連結辺部分７ｆとを有する形状としたことにより、外層リブ７の内面の面積つまり内周長を大きくして、ブロー成形時に、直線部分７ｄ，７ｅと連結辺部分との境界部分である角部がより薄肉となるように積層パリソンを延伸させて、外層リブ７の内面をアンダーカット形状に形成することができる。
【００３５】
このとき、外層リブ７の直線部分７ｄ，７ｅを、連結辺部分７ｆの中点を通り且つ該連結辺部分に垂直な方向に対して傾斜させ、また、副外層リブ８の外面の傾斜辺８ａを、直線部分７ｅに対してさらに傾斜させるようにしているので、金型を用いたブロー成形の際に、積層パリソンを、外層リブ７の直線部分７ｅつまり側壁部７ｂの側よりも副外層リブ８の傾斜辺８ａの側へ流れ易くして、積層パリソンを外層リブの両側壁部と天壁部とを連ねる角部に向けてより延伸させて外層リブ７の天壁部７ｃと側壁部７ｂとの境界部分を薄肉化させることができる。これにより、外層リブ７の横断面形状を、より深いアンダーカット形状にすることができる。なお、内層体３は、積層パリソンのブロー成形において、外層体２とともに、当該外層体２の内面に密着するようにブロー成形されるので、外層リブ７とともにアンダーカット形状に対応した形状に容易に形成される。
【００３６】
また、ブロー成形においては、ヒンジ軸を中心として型開きする金型が用いられるが、本発明では、ヒンジ軸が、図４に示す直線Ｌに垂直、且つ、積層剥離容器１の軸心を通る直線上に配置される金型を用いてブロー成形が行われる。したがって、外層リブ７の内面をアンダーカット形状にするために、一対の平行な直線部分７ｄ，７ｅと連結辺部分７ｆとを有する形状としても、その直線部分７ｄ，７ｅは金型のヒンジ軸を中心とした離型方向に向くので、ブロー成形後に、積層剥離容器１を金型から容易に離型させることができる。
【００３７】
本実施の形態では、外層体２の注出口２ａの側の長手方向端部を、それぞれ、図１に示すように、空気流入孔４の軸方向から見た平面視で、空気流入孔４の軸心を中心として、底部２ｃの側へ向けた、つまり、該空気流入孔４の中心を通り且つ注出口２ａの軸心に平行な下方向に向けた、６０度以上、９０度以下の範囲に配置するようにしている。
【００３８】
上記のように、ブロー成形後に、内層体３を外層体２から一旦剥離し、再度密着させるようにすると、注出口２ａの空気流入孔４の周りにおいて、外層体２に密着する内層体３にしわが寄り、外層体２と内層体３の間には、空気流入孔４から胴部２ｂへ向けて、しわ状の隙間が生じる。この隙間は、空気流入孔４の軸心を中心として、胴部２ｂの側へ向けた６０度から９０度の範囲に生じる場合が多いので、上記範囲に外層リブ７の長手方向端部を配置することにより、空気流入孔４の周りに生じるしわ状の隙間を、外層リブ７と内層リブ９との間に生じる隙間に連通させて、空気流入孔４と胴部２ｂとの間で、より空気の流路を確保し易くすることができる。図示する場合では、外層リブ７の長手方向端部を、空気流入孔４の中心を通り且つ注出口２ａの軸心に平行な下方向に向けた、６０度以上、９０度以下の範囲に配置するようにしているが、例えば、外層リブ７の中間部分のみを当該範囲に配置するなど、外層リブ７の少なくとも一部が上記範囲に配置されて、空気流入孔４と胴部２ｂとの間に連通流路が形成されるようになっていればよい。
【００３９】
本発明は前記実施の形態に限定されるものではなく、その要旨を逸脱しない範囲で種々変更可能であることはいうまでもない。例えば、前記実施の形態においては、注出口２ａに一対の空気流入孔４を設け、これらの空気流入孔４に対応した一対のリブ群５を外層体２に設けるようにしているが、注出口２ａやリブ群５は、それぞれ２つに限らず、１つまたは３つ以上設けることもできる。
【００４０】
また、外層リブ７は、注出口２ａの側から底部２ｃの側へ延びるとともに、その内面の横断面形状がアンダーカット形状に形成されたものであれば、その外面を他の形状に形成することもできる。
【００４１】
さらに、外層リブ７は、外層体２の外周面に形成された一対の凹溝６ａ〜６ｄの間に、その天壁部７ｃが、外層体２の外周面と同一面状となるように形成されているが、これに限らず、外層体２の外周面から外側に突出するリブとして形成することもできる。または、外層リブ７を、外層体２の外周面から、内層体３の側に向けて突出する形状に形成することもできる。
【００４２】
さらに、本発明の二重容器は、外層体２と内層体３とを積層パリソンのブロー成形により一体に形成した積層剥離容器１に限らず、外層体２と内層体３とを別々に形成した後、内層体３を外層体２の内部に組み込むようにした構成の二重容器とすることもできる。
【符号の説明】
【００４３】
１    積層剥離容器（二重容器）
２    外層体
２ａ  注出口
２ｂ  胴部
２ｃ  底部
２ｄ  ねじ部
３    内層体
３ａ  開口部
３ｂ  収容部
４    空気流入孔
５    リブ群
６ａ〜６ｄ  凹溝
７    外層リブ
７ａ，７ｂ  側壁部
７ｃ  天壁部
７ｄ，７ｅ  直線部分
７ｆ  連結辺部分
８    副外層リブ
８ａ  傾斜辺
８ｂ  円弧辺
９    内層リブ
Ｌ    直線
【図１】
2014091538.tif 000003
【図２】
2014091538.tif 000004
【図３】
2014091538.tif 000005
【図４】
2014091538.tif 000006